(57)【要約】  開示するのは、方法、システム、デバイス、装置、媒体、設計構造、及び他の実施態様であり、これには、複数の無線周波数（ＲＦ）帯域にそれぞれ関連付けられた複数の入力信号を受信することを含む、マルチバンド信号をデジタル予歪するための方法が含まれており、それらの複数の入力信号は、複数のＲＦ帯域のうちの最も高いものの最大周波数と、複数のＲＦ帯域のうちの最も低いものの最小周波数との差に相当する入力周波数範囲を占めている。この方法は更に、複数の入力信号の中から少なくとも１つの信号を周波数シフトして凝縮されたシフト信号を生成することを含み、凝縮されたシフト信号の各々は複数の入力信号のそれぞれに対応し、凝縮されたシフト信号は入力周波数範囲よりも狭い凝縮周波数範囲を占有し、またこの方法は更に、凝縮されたシフト信号にデジタル予歪を施すことを含めて、凝縮されたシフト信号を処理すること、を含む。
2020511822.tif 000002
【特許請求の範囲】
【請求項１】
マルチバンド信号をデジタル予歪させるための方法であって、
複数の無線周波数（ＲＦ）帯域にそれぞれ関連付けられた複数の入力信号を受信するステップであって、前記複数の入力信号は、前記複数のＲＦ帯域のうちの最も高いものの最大周波数と、前記複数のＲＦ帯域のうちの最も低いものの最小周波数との差に相当する入力周波数範囲を占有する、ステップと、
前記複数の入力信号の中から少なくとも１つの信号を周波数シフトして凝縮されたシフト信号を生成するステップであって、前記凝縮されたシフト信号の各々は前記複数の入力信号のそれぞれに対応し、前記凝縮されたシフト信号は前記入力周波数範囲よりも狭い凝縮周波数範囲を占有する、ステップと、
前記凝縮されたシフト信号にデジタル予歪を施すことを含めて、前記凝縮されたシフト信号を処理するステップと、を含む、方法。
【請求項２】
前記凝縮されたシフト信号を処理するステップは更に、
前記凝縮されたシフト信号に必要とされる集約最小レート以上のサンプリングレートで、前記凝縮されたシフト信号をサンプリングするステップであって、前記サンプリングレートは、前記複数のＲＦ帯域にある前記複数の入力信号に必要とされる入力最小レートよりも小さくなるステップ、を含む、請求項１に記載の方法。
【請求項３】
前記凝縮されたシフト信号を処理するステップは更に、
前記凝縮されたシフト信号の各々に対して決定された複数のマルチレートサンプリング変換のそれぞれに従って、前記凝縮されたシフト信号中の個々の信号をサンプリングするステップ、を含む、請求項１に記載の方法。
【請求項４】
前記凝縮されたシフト信号にデジタル予歪を施すことを含めて、前記凝縮されたシフト信号を処理するステップは、
前記凝縮されたシフト信号に前記デジタル予歪を施すステップであって、その結果、前記デジタル予歪された凝縮シフト信号を、非線形歪みを引き起こす少なくとも１つの電力増幅器を含む送信チェーンに入力することから得られる、結果として生じる増幅された凝縮シフト信号が、非線形歪みが実質的に無い前記複数の入力信号の拡大コピーを含むようになるステップ、を含む、請求項１に記載の方法。
【請求項５】
前記凝縮されたシフト信号を処理するステップは更に、
前記デジタル方式で予歪された凝縮シフト信号を周波数シフトして、前記複数の入力信号の前記複数のＲＦ帯域とそれぞれ一致する予歪された出力信号を生成するステップ、を含む、請求項１に記載の方法。
【請求項６】
前記予歪された出力信号の前記各々に関連付けられたそれぞれの周波数帯域で動作するように構成された複数の電力増幅器のそれぞれを使用して、前記予歪された出力信号の各々を増幅するステップを更に含む、請求項５に記載の方法。
【請求項７】
前記複数のＲＦ帯域で動作するように構成された単一の電力増幅器を使用して、前記予歪された出力信号の各々を増幅するステップを更に含む、請求項５に記載の方法。
【請求項８】
前記凝縮されたシフト信号、前記デジタル方式で予歪された凝縮シフト信号、又は、前記デジタル予歪された出力信号を１つ若しくは複数の電力増幅器を使用して増幅及び周波数シフトすることにより生成された増幅出力信号の観測されたコピー、のうちの１つに少なくとも基づいて、前記凝縮されたシフト信号に施される前記デジタル予歪の動作を制御するデジタル予歪パラメータを定期的に調節するステップを更に含む、請求項１に記載の方法。
【請求項９】
前記デジタル予歪パラメータを定期的に調節するステップは、
前記増幅出力信号を周波数シフトすることから生成される周波数シフト増幅出力信号と、前記複数の入力信号の中の前記少なくとも１つの信号を周波数シフトすることから生成される前記凝縮されたシフト信号と、の差の最小化をもたらす前記デジタル予歪パラメータを導出するステップを含む、請求項８に記載の方法。
【請求項１０】
前記複数の入力信号のうちの少なくとも２つの隣接する帯域が不連続である、請求項１に記載の方法。
【請求項１１】
マルチバンド信号をデジタル予歪させるためのシステムであって、
複数の無線周波数（ＲＦ）帯域にそれぞれ関連付けられた複数の入力信号を受信するための少なくとも１つの通信モジュールであって、前記複数の入力信号は、前記複数のＲＦ帯域のうちの最も高いものの最大周波数と、前記複数のＲＦ帯域のうちの最も低いものの最小周波数との差に相当する入力周波数範囲を占有する、少なくとも１つの通信モジュールと、
前記複数の入力信号の中から少なくとも１つの信号を周波数シフトして凝縮されたシフト信号を生成するための周波数シフト回路であって、前記凝縮されたシフト信号の各々は前記複数の入力信号のそれぞれに対応し、前記凝縮されたシフト信号は前記入力周波数範囲よりも狭い凝縮周波数範囲を占有する、周波数シフト回路と、
前記凝縮されたシフト信号にデジタル予歪を施すことを含めて、前記凝縮されたシフト信号を処理するためのプロセッサと、を含む、システム。
【請求項１２】
前記凝縮されたシフト信号を処理するように構成された前記プロセッサは更に、
前記凝縮されたシフト信号に必要とされる集約最小レート以上のサンプリングレートで、前記凝縮されたシフト信号をサンプリングするように構成され、前記サンプリングレートは、前記複数のＲＦ帯域にある前記複数の入力信号に必要とされる入力最小レートよりも小さくなる、請求項１１に記載のシステム。
【請求項１３】
前記凝縮されたシフト信号を処理するように構成された前記プロセッサは更に、
前記凝縮されたシフト信号の各々に対して決定された複数のマルチレートサンプリング変換のそれぞれに従って、前記凝縮されたシフト信号中の個々の信号をサンプリングするように構成される、請求項１１に記載のシステム。
【請求項１４】
前記凝縮されたシフト信号にデジタル予歪を施すことを含めて、前記凝縮されたシフト信号を処理するように構成された前記プロセッサは、
前記凝縮されたシフト信号に前記デジタル予歪を施すように構成され、その結果、前記デジタル予歪された凝縮シフト信号を、非線形歪みを引き起こす少なくとも１つの電力増幅器を含む送信チェーンに入力することから得られる、結果として生じる増幅された凝縮シフト信号が、非線形歪みが実質的に無い前記複数の入力信号の拡大コピーを含むようになる、請求項１１に記載のシステム。
【請求項１５】
前記凝縮されたシフト信号を処理するように構成された前記プロセッサは更に、
前記デジタル方式で予歪された凝縮シフト信号を周波数シフトして、前記複数の入力信号の前記複数のＲＦ帯域とそれぞれ一致する予歪された出力信号を生成するように構成される、請求項１１に記載のシステム。
【請求項１６】
前記予歪された出力信号の各々をそれぞれ増幅するための複数の電力増幅器を更に含む、請求項１５に記載のシステム。
【請求項１７】
前記予歪された出力信号の各々を増幅するために前記複数のＲＦ帯域で動作するように構成された単一の電力増幅器を更に含む、請求項１５に記載のシステム。
【請求項１８】
前記プロセッサは更に、
前記凝縮されたシフト信号、前記デジタル方式で予歪された凝縮シフト信号、又は、前記デジタル予歪された出力信号を１つ若しくは複数の電力増幅器を使用して増幅及び周波数シフトすることにより生成された増幅出力信号の観測されたコピー、のうちの１つに少なくとも基づいて、前記凝縮されたシフト信号に施される前記デジタル予歪の動作を制御するデジタル予歪パラメータを定期的に調節するように構成される、請求項１１に記載のシステム。
【請求項１９】
請求項１〜１０のうちのいずれか一項に記載の全てのステップを実行するように構成されたマルチバンド・プリディストータ。
【請求項２０】
非一時的な機械可読媒体上に符号化される設計構造であって、コンピュータ支援設計システムで処理されると、請求項１１〜１８のいずれか一項に記載のマルチバンドシステム又は請求項１９に記載のマルチバンド・プリディストータの機械実行可能表現を生成する要素を含む、設計構造。
【請求項２１】
実行されると、請求項１〜１０のいずれか一項に記載の方法ステップを含む動作を生じさせる、プロセッサで実行可能な一組のコンピュータ命令、を用いてプログラムされる非一時的なコンピュータ可読媒体。
【発明の詳細な説明】
【技術分野】
【０００１】
関連出願の相互参照
本出願は、２０１７年２月２５日に出願された米国仮特許出願第６２／４６３，６１６号明細書の利益を主張するものであり、この出願の内容は参照により組み込まれる。
【０００２】
本開示は、複数の無線周波数帯域における信号のデジタル予歪に関する。
【背景技術】
【０００３】
電力増幅器、とりわけ無線周波数通信の送信に使用される電力増幅器は一般的に、非線形特性を有する。例えば、電力増幅器の出力電力がその最大定格出力に近づくと、出力の非線形歪みが発生する。電力増幅器の非線形特性を補償する方法の１つは、（例えば、入力信号に「逆歪み」を付加することにより）入力信号を「予め歪ませ」て、電力増幅器の非線形性を打ち消した後で、入力信号を電力増幅器に供給することである。結果として得られる電力増幅器の出力は、非線形歪みが低減された入力信号の線形増幅になる。デジタル予歪電力増幅器は、比較的安価であり、電力効率が良い。これらの特性により、デジタル予歪電力増幅器は、増幅器が入力部に存在する信号を安価で効率的に且つ正確に再現することが必要である電気通信システムにおいて使用するのに、魅力あるものになる。
【０００４】
より高いデータレートに対する要求が高まっているが、無線事業者は高いデータレートを提供するための連続的なスペクトルを所有していないことが多い。従って、利用可能な無線周波数範囲において、不連続的な帯域が非常に離れて配置されることがある。例えば、ある無線事業者が地域ＡではＬＴＥバンド２及び１７（１９３０〜１９９０、７３４〜７４６ＭＨｚ）を所有し、地域ＢではＬＴＥバンド４及び５（２１１０〜２１５５、８６９〜８９４ＭＨｚ）を所有しているものと仮定する。上記の例における周波数カバレッジは、１．５ＧＨｚまでの範囲（例えば、７３４ＭＨｚ〜２１５５ＭＨｚ）を有する。そのような広い周波数範囲により、無線事業者によって使用されるマルチバンド信号に対してデジタル処理を行うためにはサンプリングレートが高くなってしまうことがある。
【発明の概要】
【０００５】
例によっては、マルチバンド信号のデジタル予歪処理が、凝縮された周波数ウィンドウ内で行われ、これにより、リソースをより予測可能で効率的に使用できるようになり、且つ、元の特定の帯域で信号を処理するための専用回路を実装する必要性が低減される。また、本明細書に記載する例示的な実施態様は、処理されるべき信号をより狭い凝縮された周波数ウィンドウにシフトさせることにより、サンプリング帯域幅（ひいてはＤＰＤ処理に必要なサンプルの数）を低減する。
【０００６】
変形例によっては、マルチバンド信号をデジタル予歪させるための方法が提供される。この方法は、複数の無線周波数（ＲＦ）帯域にそれぞれ関連付けられた複数の入力信号を受信することを含み、それらの複数の入力信号は、複数のＲＦ帯域のうちの最も高いものの最大周波数と、複数のＲＦ帯域のうちの最も低いものの最小周波数との差に相当する入力周波数範囲を占めている。この方法は更に、複数の入力信号の中から少なくとも１つの信号を周波数シフトして凝縮されたシフト信号を生成することを含み、凝縮されたシフト信号の各々は複数の入力信号のそれぞれに対応し、凝縮されたシフト信号は入力周波数範囲よりも狭い凝縮周波数範囲を占有し、またこの方法は更に、凝縮されたシフト信号にデジタル予歪を施すことを含めて、凝縮されたシフト信号を処理すること、を含む。
【０００７】
この方法の実施形態は、以下の特徴のうちの１つ又は複数を含めて、本開示に記載する特徴のうちの少なくとも幾つかを含むことがある。
【０００８】
凝縮されたシフト信号を処理することは更に、凝縮されたシフト信号に必要とされる集約最小レート以上のサンプリングレートで、凝縮されたシフト信号をサンプリングすることを含むことがあり、このサンプリングレートは、複数のＲＦ帯域にある複数の入力信号に必要とされる入力最小レートよりも小さい。
【０００９】
凝縮されたシフト信号を処理することは更に、凝縮されたシフト信号の各々に対して決定された複数のマルチレートサンプリング変換のそれぞれに従って、凝縮されたシフト信号中の個々の信号をサンプリングすることを含むことがある。
【００１０】
凝縮されたシフト信号にデジタル予歪を施すことを含めて、凝縮されたシフト信号を処理することは、凝縮されたシフト信号にデジタル予歪を施して、その結果、デジタル予歪された凝縮シフト信号を、非線形歪みを引き起こす少なくとも１つの電力増幅器を含む送信チェーンに入力することから得られる、結果として生じる増幅された凝縮シフト信号が、非線形歪みが実質的に無い複数の入力信号の拡大コピーを含むようになる、ことを含むことがある。
【００１１】
凝縮されたシフト信号を処理することは更に、デジタル方式で予歪された凝縮シフト信号を周波数シフトして、複数の入力信号の複数のＲＦ帯域とそれぞれ一致する予歪された出力信号を生成することを含むことがある。
【００１２】
この方法は更に、予歪された出力信号の各々に関連付けられたそれぞれの周波数帯域で動作するように構成された複数の電力増幅器のそれぞれを使用して、予歪された出力信号の各々を増幅することを含むことがある。
【００１３】
この方法は更に、複数のＲＦ帯域で動作するように構成された単一の電力増幅器を使用して、予歪された出力信号の各々を増幅することを含むことがある。
【００１４】
この方法は更に、例えば、凝縮シフト信号、デジタル方式で予歪された凝縮シフト信号、及び／又は、デジタル予歪された出力信号を１つ若しくは複数の電力増幅器を使用して増幅及び周波数シフトすることにより生成された増幅出力信号の観測されたコピー、のうちの１つに少なくとも基づいて、凝縮シフト信号に施されるデジタル予歪の動作を制御するデジタル予歪パラメータを定期的に調節することを含むことがある。
【００１５】
デジタル予歪パラメータを定期的に調節することは、増幅出力信号を周波数シフトすることから生成される周波数シフト増幅出力信号と、複数の入力信号の中の少なくとも１つの信号を周波数シフトすることから生成される凝縮シフト信号と、の差の最小化をもたらすデジタル予歪パラメータを導出することを含むことがある。
【００１６】
複数の入力信号のうちの少なくとも２つの隣接する帯域は、不連続であることがある。
【００１７】
変形例によっては、マルチバンド信号をデジタル予歪させるためのシステムが提供される。このシステムは、複数の無線周波数（ＲＦ）帯域にそれぞれ関連付けられた複数の入力信号を受信するための少なくとも１つの通信モジュールを含み、それらの複数の入力信号は、複数のＲＦ帯域のうちの最も高いものの最大周波数と、複数のＲＦ帯域のうちの最も低いものの最小周波数との差に相当する入力周波数範囲を占めている。このシステムは更に、複数の入力信号の中から少なくとも１つの信号を周波数シフトして凝縮されたシフト信号を生成する周波数シフト回路を含み、凝縮されたシフト信号の各々は複数の入力信号のそれぞれに対応し、凝縮されたシフト信号は入力周波数範囲よりも狭い凝縮周波数範囲を占有し、またこのシステムは更に、凝縮されたシフト信号にデジタル予歪を施すことを含めて、凝縮されたシフト信号を処理するためのプロセッサを含む。
【００１８】
このシステムの実施形態は、方法に関連して上述した特徴のうちの少なくとも幾つか、並びに以下の特徴のうちの１つ又は複数を含めて、本開示に記載する特徴のうちの少なくとも幾つかを含むことがある。
【００１９】
凝縮されたシフト信号を処理するように構成されたプロセッサは更に、凝縮されたシフト信号に必要とされる集約最小レート以上のサンプリングレートで、凝縮されたシフト信号をサンプリングするように構成されることがあり、このサンプリングレートは、複数のＲＦ帯域にある複数の入力信号に必要とされる入力最小レートよりも小さい。
【００２０】
凝縮されたシフト信号を処理するように構成されたプロセッサは更に、凝縮されたシフト信号の各々に対して決定された複数のマルチレートサンプリング変換のそれぞれに従って、凝縮されたシフト信号中の個々の信号をサンプリングするように構成されることがある。
【００２１】
凝縮されたシフト信号にデジタル予歪を施すことを含めて、凝縮されたシフト信号を処理するように構成されたプロセッサは更に、凝縮されたシフト信号にデジタル予歪を施して、その結果、デジタル予歪された凝縮シフト信号を、非線形歪みを引き起こす少なくとも１つの電力増幅器を含む送信チェーンに入力することから得られる、結果として生じる増幅された凝縮シフト信号が、非線形歪みが実質的に無い複数の入力信号の拡大コピーを含むようになる、ように構成されることがある。
【００２２】
凝縮されたシフト信号を処理するように構成されたプロセッサは更に、デジタル方式で予歪された凝縮シフト信号を周波数シフトして、複数の入力信号の複数のＲＦ帯域とそれぞれ一致する予歪された出力信号を生成するように構成されることがある。
【００２３】
このシステムは更に、予歪された出力信号の各々をそれぞれ増幅するための複数の電力増幅器を含むことがある。
【００２４】
このシステムは更に、複数のＲＦ帯域で動作するように構成された単一の電力増幅器を含んで、予歪された出力信号の各々を増幅することがある。
【００２５】
このプロセッサは更に、例えば、凝縮シフト信号、デジタル方式で予歪された凝縮シフト信号、又は、デジタル予歪された出力信号を１つ若しくは複数の電力増幅器を使用して増幅及び周波数シフトすることにより生成された増幅出力信号の観測されたコピー、のうちの１つに少なくとも基づいて、凝縮シフト信号に施されるデジタル予歪の動作を制御するデジタル予歪パラメータを定期的に調節するように構成されることがある。
【００２６】
変形例によっては、上記で提供された方法のステップのうちの１つ又は複数を実行するように構成されたマルチバンド・プリディストータが提供される。
【００２７】
変形例によっては、非一時的な機械可読媒体上に符号化される設計構造が提供され、この設計構造には、コンピュータ支援設計システムで処理されると、上述したシステムモジュール又は上述したマルチバンド・プリディストータのうちの１つ又は複数の機械実行可能表現を生成する要素が含まれる。
【００２８】
変形例によっては、集積回路定義データセット、このデータセットは、集積回路製造システムにおいて処理されると、上述したシステムモジュール又は上述したマルチバンド・プリディストータのうちの１つ又は複数を製造するようにその集積回路製造システムを設定する。
【００２９】
変形例によっては、非一時的なコンピュータ可読媒体が提供され、このコンピュータ可読媒体は、実行されると上述した様々な方法のステップを含む動作を生じさせる、プロセッサで実行可能な一組のコンピュータ命令を用いてプログラムされる。
【００３０】
マルチバンド・プリディストータ、設計構造、集積回路定義データセット、及びコンピュータ可読媒体の実施形態は、方法及びシステムに関連して上述した特徴のうちの少なくとも幾つかを含め、本開示で説明する特徴のうちの少なくとも幾つかを含むことがある。
【００３１】
本発明の他の特徴及び利点が、以下の説明及び特許請求の範囲から明らかになる。
【００３２】
ここで、以下の図面を参照して、これら及び他の態様について詳細に説明する。
【図面の簡単な説明】
【００３３】
【図１】マルチバンド信号のデジタル予歪用のシステムの概略図である。
【図２】マルチバンド信号のデジタル予歪用の別の例示的なシステムの概略図である。
【図３】マルチバンド信号のデジタル予歪用の更なる例示的なシステムの図である。
【図４】図１、図２、及び図３のシステムの実装の一部として使用することができる調節可能な予歪電力増幅システムのブロック図である。
【図５】マルチバンド信号に適用される順次処理段階でのそれぞれの信号スペクトルを示す、一連の信号図を含む。
【図６】マルチバンド信号のデジタル予歪のための例示的な手順の流れ図である。
【図７】マルチバンド信号のデジタル予歪のための別の例示的な手順のフロー図である。
【図８】マルチバンドデジタル予歪機能を実装するのに使用することができる例示的な機器（例えば、モバイル機器又はハンドセット、ネットワークノード、等）の概略図である。
【発明を実施するための形態】
【００３４】
様々な図面における同様の参照符号は同様の要素を示す。
【００３５】
本明細書で開示するのは、マルチバンド信号をデジタル予歪するための方法、システム、デバイス、媒体、及び他の実施態様であり、これには、複数の無線周波数（ＲＦ）帯域にそれぞれ関連付けられた複数の入力信号（例えば、様々な不連続な帯域にあるＬＴＥ信号）を受信することを含む方法が含まれており、それらの複数の入力信号は、複数のＲＦ帯域のうちの最も高いものの最大周波数と、複数のＲＦ帯域のうちの最も低いものの最小周波数との差に相当する入力周波数範囲を占めている。この方法は更に、複数の入力信号の中から少なくとも１つの信号を周波数シフトして凝縮されたシフト信号（まとめて、「シフト信号の集約」又は「集約信号」又は「集約された信号」とも呼ばれる）を生成することを含み、凝縮されたシフト信号の各々は複数の入力信号のそれぞれに対応し、凝縮されたシフト信号は入力周波数範囲よりも狭い凝縮周波数範囲を占有し、またこの方法は更に、凝縮されたシフト信号にデジタル予歪を施すことを含めて、凝縮されたシフト信号を処理すること、を含む。実施形態によっては、凝縮されたシフト信号を処理することは更に、凝縮されたシフト信号の各々に対して決定された複数のマルチレートサンプリング変換のそれぞれに従って、凝縮されたシフト信号の個々の信号をサンプリングすることを含むことがある。実施形態によっては、凝縮されたシフト信号を処理することは更に、デジタル予歪された凝縮シフト信号を周波数シフトして、複数の入力信号の複数のＲＦ帯域とそれぞれ一致する予歪された出力信号を生成することを含むことがある。
【００３６】
また、本明細書で開示するのは、マルチバンド信号をデジタル予歪するためのシステムであり、このシステムは、複数の無線周波数（ＲＦ）帯域にそれぞれ関連付けられた複数の入力信号を受信するように構成された少なくとも１つの通信モジュール（例えば、ＲＦ送受信動作を行うように構成された送受信機）を含み、それらの複数の入力信号は、複数のＲＦ帯域のうちの最も高いものの最大周波数と、複数のＲＦ帯域のうちの最も低いものの最小周波数との差に相当する入力周波数範囲を占めている。このシステムは更に、複数の入力信号の中から少なくとも１つの信号を周波数シフトして凝縮されたシフト信号を生成する周波数シフト回路（例えば、周波数逓倍器／変調器、及び／又は高調波を除去するためのバンドパスフィルタ）を含み、凝縮されたシフト信号の各々は複数の入力信号のそれぞれに対応し、凝縮されたシフト信号は入力周波数範囲よりも狭い凝縮周波数範囲を占有し、またこのシステムは更に、凝縮されたシフト信号を処理するためのプロセッサ（例えば、マイクロプロセッサ、デジタル信号プロセッサ、等）を含む。凝縮されたシフト信号に施されるデジタル予歪も含まれる。
【００３７】
従って、図１を参照すると、マルチバンド信号をデジタル予歪するためのシステム１００の例示的な実施態様の概略図が示されている。システム１００は、例えば、ネットワークノード（例えば、基地局）、又は個人のモバイルデバイス（ユーザ機器）などに収容されていることがある。システム１００は、幾つかの実施形態では、（例えば、ＬＴＥ又は他のＷＷＡＮプロトコル、ＷＬＡＮベースのプロトコル、Ｂｌｕｅｔｏｏｔｈ（登録商標）、ＺｉｇＢｅｅなどの短距離及び中距離プロトコル等を含む様々な通信プロトコル又は技術に従って生成された）異なるＲＦ帯域の信号を生成するか又は処理するように構成されたベースバンドプロセッサ１１０を含む。ベースバンドプロセッサ１００は、（例えば、システム１００を実装していることがある基地局の特定のサービスプロバイダ／事業者によって運用される異なるＬＴＥ帯域にある）複数のＲＦ帯域にまたがることがある複数のベースバンド（ＢＢ）信号を出力又は提供することができる。ベースバンドプロセッサ１１０は、周波数シフト回路（例えば、高調波を除去するためのバンドパスフィルタに結合されることがある、周波数逓倍器又は変調器）に結合された受信機又は送受信機として実現されることがあるマルチバンド集約モジュール１２０（「マルチバンドコンデンサ」とも呼ばれる）と通信可能に結合される。マルチバンドコンデンサ１２０は、システム１００の下流のモジュールによって処理される、（例えば、１つ又は複数の凝縮帯域に対応する凝縮信号に対応した、結果として生じる時間ベースの信号からの）デジタルサンプルを生成するためのサンプリングユニット（例えば、アナログ／デジタル変換器、即ちＡＤＣ）も含むことがある。サンプリングユニットは、凝縮帯域の帯域特性に従って、周波数シフト回路によって生成された凝縮周波数シフト信号の各々をサンプリングするように個別に設定された、割り当てられた（且つ任意選択的に調節可能な）サンプリングレートを有する、マルチレート・サンプラーとして実装されることがある（例えば、より高い帯域は、より低い帯域の信号よりも、より高いレートでサンプリングされることがある）。或いは、単一の（調節可能な又は調節不可能な）サンプリングレートを使用して、凝縮された（集約された）時間ベース信号をサンプリングすることがある。（例えば、プロセッサ１３０による予歪処理を可能にするために）凝縮された（集約された）周波数シフト信号に対して行われるサンプリングは、入力マルチバンド信号が凝縮周波数範囲に周波数シフトされなかった場合に必要とされるサンプリングレートよりも低いサンプリングレートにつながる。マルチバンドコンデンサ１２０は、複数の無線周波数（ＲＦ）帯域にそれぞれ関連付けられた複数の入力信号を、例えばベースバンドプロセッサ１１０から受信するように構成され、それらの複数の入力信号は、複数のＲＦ帯域のうちの最も高いものの最大周波数と、複数のＲＦ帯域のうちの最も低いものの最小周波数との差に相当する入力周波数範囲を占有し、またこのマルチバンドコンデンサ１２０は、複数の入力信号の中から少なくとも１つの信号を周波数シフトして凝縮シフト信号を生成するように構成される。
【００３８】
凝縮シフト信号の各々は、複数の入力信号のそれぞれに対応する。凝縮シフト信号は、入力周波数範囲よりも狭い凝縮周波数範囲を（まとめて、即ち、集約して）占有する。コンデンサ１２０によって受信される信号の少なくとも一部は、不連続なＲＦ帯域を占有することがある。実施形態によっては、全ての信号を、凝縮周波数範囲を結果的にもたらす隣接する（連続な）周波数区間（ウィンドウ）を占有する、結果として生成されるシフト信号にシフトさせることがある。実施形態によっては、信号のうちの一部のみ（又は１つのみ）が周波数シフトされ、受信された複数の入力信号のうちの他の信号は、入力周波数のままになる。
【００３９】
図１に更に図示するように、マルチバンドコンデンサ１２０にはプロセッサ１３０が結合され、プロセッサ１３０は、凝縮シフト信号にデジタル予歪を施す（例えば、凝縮されたマルチバンドを含む時間ベースの信号のサンプリングされたものにデジタル予歪処理を施す）ことを含めて、凝縮シフト信号を処理するように構成される。プロセッサ１３０は、（以下でより詳細に考察するように）システム１００によって実現される電力増幅モジュールの様々なモジュール／回路によって持ち込まれる非線形効果を補償するように実装される。例えば、プロセッサ１３０は、波高率低減（ＣＦＲ）処理及び／又はデジタル予歪（ＤＰＤ）処理を実施するように構成されることがある。
【００４０】
プロセッサ１３０によって実施されるＣＦＲ処理には、様々な方式が使用されることがある。１つの方式は、信号をアップサンプリングしてからクリップし、その後クリップした信号をフィルタリングして、主としてＡＣＰＲの形式で歪みを低減することを含む。フィルタリングにより新たな振幅ピークが持ち込まれることがあるので、この処理は複数回繰り返されることがある。幾つかのそのような方式では、信号がクリップされるレベルを段階ごとに低減して、ＲＭＳ値に対する目標最大振幅を徐々に満たすことがある。別の方式では、アップサンプリングされた信号をクリップして、この信号がクリップ信号を超える量を、所定のフィルタによってフィルタリングするか、又は、ピーク振幅の時間位置を中心とした所定の時間領域ウィンドウによって増倍させ（即ち、その結果、適切に帯域制限される）、信号から減算する。やはり、そのような方式では、処理は幾つかの段階で繰り返されることがある、というのも、フィルタリング又はウィンドウ処理が、制限を超える新たなピーク振幅を持ち込むことがあるからである。
【００４１】
ＣＦＲ処理を行うための更に別の方式は、入力信号における閾値を超えるピーク振幅の位置を特定し、所定のパルス波形を縮尺調整したものを減算することである。このパルス波形は、許容信号帯域の外側に実質的なエネルギーを追加しないように設計されることがある。減算されたパルスは、パルスが追加された時点でピーク振幅を除去しないことがあるので、この処理を複数回繰り返す必要があることがある。上述したように、入力信号は、介在する帯域により周波数が分離されていることがある（又は無い）２つ以上の周波数限定帯域にある信号の組み合わせを表すことがある。本明細書で説明する幾つかの方式は、合成信号の振幅を制限することを目標にして、限定された周波数帯域の各々を表すベースバンド信号を処理することを試みる。ＣＦＲ処理は、ソフトウェア実装（例えば、プロセッサベースのデバイスにＣＦＲ処理を促進させる命令を実行する、プロセッサベースのデバイス）、ハードウェア（例えば、プログラマブルアレイ、特定用途向け集積回路等に実装される専用回路）、又はソフトウェアとハードウェアのハイブリッドの実装として、実現されることがある。ＣＦＲ実施態様は、（例えば、１つ又は複数の無線送信帯域における受信信号の１つ又は複数の時間領域表現から合成されたものであり得る集約時間領域信号のピークを識別するための）ピーク識別回路と、１つ又は複数のパルスのそれぞれのパルス波形（そのようなパルス波形は、パルス波形を制御するための複数の更新可能なパラメータの最適化に基づいて、システム１００でローカルに、又はシステム１００と通信する遠隔機器でリモートに、決定されることがある）を使用して、それぞれの１つ又は複数の時間領域表現に対して個々のパルス減算処理を行うためのパルス減算回路と、を含むことがある。複数の更新可能なパラメータの最適化は、１つ又は複数の無線送信帯域を含む通信システムの特性を表す所定の通信システムデータを少なくとも部分的に使用した、複数の性能パラメータの反復評価に従った、複数の更新可能なパラメータの反復更新の以前の実施結果に基づくことがある。ＣＦＲ処理方式の更なる詳細及び例が、「ＣＲＥＳＴ  ＦＡＣＴＯＲ  ＲＥＤＵＣＴＩＯＮ」と題された米国仮特許出願第６２／５１７，３４８号明細書で提供されており、この出願の内容は、その全体が参照により本明細書に組み込まれる。
【００４２】
システム１００に含まれる増幅器によって引き起こされる非線形歪みを更に軽減するために、プロセッサ１３０は、信号（この場合には、コンデンサ１２０に入力された信号に対してコンデンサ１２０が施す処理から生じる凝縮シフト信号）を予歪して、逆の非線形歪み（即ち、システム１００の送信チェーンによって持ち込まれる非線形歪みの逆）を含む中間入力信号を生成し、その結果、（この例では、送信機及び観測受信回路１５０ａ〜ｎ並びに非線形電力増幅器１６０ａ〜ｎを含む）システム１００の送信チェーンによって持ち込まれる非線形歪みは、この逆の非線形歪みによって実質的に相殺される。結果的に、システム１００の送信チェーンの出力信号（例えば、図１に図示する１つ又は複数の電力増幅器１６０ａ〜ｎの出力）には、実質的に非線形歪みが無くなる。図３に関して以下でより詳細に考察するように、システム１００の送信チェーンの非線形の入力／出力特性は、時間の経過と共に変化することがある。従って、適応モジュール（図３においてより具体的に説明する）が、プロセッサ１３０によって実現されるＤＰＤ処理実装によって使用されるＤＰＤパラメータの組を定期的に更新して、システム１００の送信チェーンに提供される中間入力信号を生成し、送信チェーンの非線形の入力／出力特性の変化を反映させる。
【００４３】
引き続き図１を参照すると、システム１００は、プロセッサ１３０によって生成される予歪された凝縮周波数シフト信号に対して送信処理を行うために使用される送信チェーンを更に含む。特に、図１の実施形態では、送信チェーンは送信機及び観測経路回路１５０ａ〜ｎを含み、これらはプロセッサ１３０の出力信号（即ち、予歪された凝縮周波数シフト信号）のそれぞれと関連付けられた個々の回路モジュール（１５０ａ、１５０ｂ、及び１５０ｎ）を含むことがあり、また送信チェーンは、結果として得られる予歪された信号の各々を増幅するための個々の電力増幅器を含む。プロセッサ１３０によって生成された信号は、デマルチプレクサ１４０を介して、個々の回路モジュール１５０ａ〜ｎに提供されることがある。デマルチプレクサは、送信機のデジタル／アナログ変換器にデータを渡す前に、予歪された信号を複数の帯域にチャネル化する。チャネライゼーションは、周波数逓倍器とこれに続くフィルタによって実現されることがある。処理速度は、実際のＲＦ周波数範囲と比べて比較的に低い。プロセッサ１３０は、凝縮された、予め確立された周波数範囲（凝縮周波数範囲に相当する）で信号を生成するように構成することができ、従って、施される処理動作のいずれかを、元の入力信号に応じた異なる周波数範囲に再設定する必要性が無いので、送信機及び観測経路回路も、回路を調節する必要なく、設定済みの予め確立された周波数範囲で動作するように構成することができる。回路１５０ａ〜ｎの各送信機回路は一般的に、可変利得増幅器（例えば、回路１５０ａのＶＧＡ１５６）に結合された、周波数変調器／逓倍器（例えば、回路１５０の周波数変調器１５４）に結合された、デジタル／アナログ変換器（例えば、回路１５０ａのＤＡＣ１５２）を含む。従って、各送信機回路の出力信号は、マルチバンド集約／コンデンサ１２０に提供された入力信号に対応する元の周波数帯域に戻すようにシフトされた、アナログの予歪された信号になる。次いで、回路１５０ａ〜ｎの各々からの予歪されたアナログ信号（予歪された出力信号とも呼ばれる）は、複数の電力増幅器（例えば、ＰＡ１６０ａ〜ｎ）のそれぞれに供給され、これらの電力増幅器の各々は、それぞれの周波数帯域にある信号で動作するように構成されて（即ち、ＰＡ１６０ａは、回路１５０ａの送信機回路によって生成された信号に対応する帯域の信号で動作するように構成される）、アンテナ１８０ａ〜ｎを介してその後（例えば、複数のバンドパスフィルタ１７０ａ〜ｎからのそれぞれのバンドパスフィルタによってフィルタリングされて、望ましくない高調波又は他の信号雑音を除去した後で）送信される増幅出力信号を生成する。
【００４４】
図１にも示すように、回路１５０ａ〜ｎの各々は、ＤＰＤ適応処理を行う（以下でより詳細に考察する）ために、ＰＡ１８０ａ〜ｎによって生成される増幅出力信号を測定する観測経路回路を含む。各観測経路回路は、周波数復調器／逓倍器（例えば、周波数復調器１５８）を含み、この周波数復調器／逓倍器の出力は、アナログ／デジタル変換器（例えば、ＡＤＣ１５９）に結合されて、ＤＰＤ適応処理で使用されるデジタルサンプルを生成する。（例えば、ＤＰＤ適応処理を実施するために）観測経路回路によって生成された信号は、例えばマルチプレクサ１４２を介してプロセッサ１３０に供給される。複数の観測経路データからの凝縮スペクトルを、プロセッサ１３０の内部で再構築することもできる。
【００４５】
ここで図２を参照すると、マルチバンド信号をデジタル予歪するための別の例示的なシステム実施態様２００の概略図が示されている。システム実施態様２００は、ＰＡ１８０ａ〜ｎなどの複数の電力増幅器及び複数のＡＤＣ又はＤＣＡ（送信機及び観測経路回路１５０ａ〜ｎと共に使用されるものなど）を使用する代わりに、たった１つのデジタル／アナログ変換器２５２、１つのアナログ／デジタル変換器２５９、及び１つの電力増幅器２７０が使用される点を除いて、図１に図示した例示的なシステム実施態様１００と同様である。ＤＡＣ２５２及びＡＤＣ２５９は両方とも、例えば、図１の送信機回路１５０ａ〜ｎのために実現されることがあるマルチレートサンプリングを実施するための、制御可能で調節可能なサンプリングレートで設定可能な変換器であることがある。単一のＤＡＣ及び単一のＡＤＣを使用することにより、回路実装に対するスペース／ハウジング要件が低減されるが、変換器によって処理される異なる信号に対して必要なサンプリングレートを調節可能に制御するために必要とされる制御動作の複雑さが増すことがある。（複数の送信機及び観測経路回路２５０ａ〜ｎによって出力される予歪された周波数シフト信号の各々に対してより最適に構成できる、専用の複数のＰＡを使用する代わりに）単一のＰＡを使用すると、同様に、（スペース／ハウジング要件の観点から）回路の占有面積を低減することができるが、（例えば、信号のより大きな帯域幅を扱うことが必要になるので、雑音及び歪みの増加につながることがあることから）ＰＡのあまり最適ではない動作につながることがある。２５０ａ〜ｎからの周波数シフトされた出力は、合計され、ＰＡ２６０の入力部に印加される。
【００４６】
次に図３を参照すると、マルチバンド信号をデジタル予歪するための例示的なシステム実施態様３００の図が示されており、これは、例えば図１又は図２のシステム実施態様１００及び２００の様々な回路及びユニットのうちの少なくとも幾つかの構成のより詳細な図を提供する。システム３００は、Ｔｘベースバンド信号生成モジュール３１０を含み、このモジュールは、マルチバンド信号（例えば、マルチＬＴＥ帯域、又はＣＰＲＩインターフェースを含む他の通信プロトコルの帯域を介して送信されることになる複数の信号）を生成するか、又はマルチバンドデジタル信号予歪システム３２０に供給するように構成される。Ｔｘ＿ＳＲＣに対応するマルチバンド信号は、他の信号に対して不連続な帯域にある少なくとも幾つかの信号を含む。マルチバンドデジタル信号予歪システム３２０は、マルチバンド集約器（又はコンデンサ）３２２を含み、これは、図１及び図２のマルチバンドコンデンサ１２０又は２２０と同様に実装することができ、周波数シフト回路（例えば、高調波を除去するためにバンドパスフィルタに結合することができる、周波数逓倍器又は変調器）に結合される受信機（又は送受信機）として実現することができる。凝縮シフト信号の各々は、複数の入力信号のそれぞれに対応する。
【００４７】
マルチバンドコンデンサ３２２は、下流のモジュール（例えば、予歪システム３２０のマルチバンド・デジタル・プリディストータ３２４又はＣＦＲユニット（図３には図示せず））によって処理されるデジタルサンプル（図３の出力信号Ｔｘ＿１として表わされる）を生成するためのサンプリングユニット（例えば、アナログ／デジタル変換器、即ちＡＤＣ）を含むこともある。このサンプリングユニットは、割り当てられた（且つ任意選択的に調節可能な）サンプリングレートを有するシングルレート又はマルチレートのサンプラーとして実装されることがある。時間ベース信号の異なる帯域に対してマルチサンプリングレートが使用される実施形態では、サンプラーは、凝縮帯域の帯域特性に従って、周波数シフト回路によって生成された凝縮周波数シフト信号の各々を個別にサンプリングするように構成されることがある（例えば、より高い帯域は、より低い帯域の信号よりも、より高いレートでサンプリングされることがある）。上述したように、凝縮された（集約された）周波数シフト信号に対して行われるサンプリング動作は（シングルレート・サンプラーを介するか又はマルチレート・サンプラーを介するかに関わりなく）、入力マルチバンド信号が凝縮周波数範囲に周波数シフトされなかった場合に必要とされるサンプリングレートよりも低いサンプリングレートにつながる。
【００４８】
図１のプロセッサ１３０に関して考察したように、マルチバンド・デジタル・プリディストータ３２４は、信号（この場合には、コンデンサ３２２に入力された信号Ｔｘ＿ＳＲＣに対してコンデンサ３２２が施した処理から生じる凝縮シフト信号Ｔｘ＿１）を予歪して、逆の非線形歪みを含む中間入力信号を生成するように構成され、その結果、システム３００の送信チェーン（例えば、デジタル／アナログ変換器、周波数変調器、及び電力増幅器を含む）によって持ち込まれる非線形歪みは、この逆の非線形歪みによって実質的に相殺される。上述したように、送信チェーンの非線形の入力／出力特性及び挙動は時間の経過と共に変化するので、適応プロセッサ３２８は、デジタル・プリディストータ３２４によって使用されるＤＰＤパラメータの組を定期的に更新して、送信チェーンの非線形の入力／出力特性の変化を反映させる。
【００４９】
より具体的には、パラメータを更新する実施態様の例が図４を参照して提供され、この図は、調節可能な予歪電力増幅システム４００のブロック図を含み、このシステム４００は、デジタル・プリディストータ３２４、送信チェーン（例えば、ＤＡＣ、周波数変調器、及び／又は電力増幅器を含む）、及び適応モジュール３２８を含むシステム３００の一部と同様であるか、又はシステム３００の一部を含むことがある。例示的なシステム４００では、ベースバンド又は中間周波数でのデジタル入力信号ｘ［ｍ］が、デジタル・プリディストータ（ＤＰＤ）４１０（これは、図３のマルチバンド・デジタル・プリディストータ３２４と、実装又は機能が似ていることがある）を通過して「予歪された」入力ｙ［ｍ］を生成し、この入力ｙ［ｍ］は、送信チェーン４４０を通過して、アンテナ４５０を駆動する駆動信号ｖ（ｔ）を生成する。送信チェーンは、デジタル／アナログ変換器（ＤＡＣ）４４２、アナログ・ローパス・フィルタ（ＬＰＦ）４４４、及びＬＰＦ４４４の出力を操作するための変調器４４６（例えば、局部発振器による逓倍）を含むことがある。変調器の出力は、電力増幅器（ＰＡ）４４８に渡される。ＰＡ４４８並びに送信チェーンの他の要素は非線形性を持ち込むことがあり、この非線形性は、入力信号ｘ［ｍ］の高調波及び／又は相互変調歪みとして駆動信号ｖ（ｔ）に現れることがある。上述したように、これらの非線形性を克服又は軽減するために、ＤＰＤ４１０は、送信チェーンの非線形効果を「予め逆にする」（即ち、予歪する）ように意図された非線形性を持ち込む。例によっては、ＤＰＤは、遅延要素（図示せず）を使用して所望の信号を遅延させた信号の組を形成することにより、またその後でこれらの遅延入力の非線形多項式関数を使用することにより、所望の信号ｘ［ｍ］を送信チェーンの入力ｙ［ｍ］へ変換する。例によっては、非線形関数は、ボルテラ級数である。
【数１】
2020511822.tif 000003
【００５０】
例によっては、非線形関数は、ボルテラ項の縮小された組、例えば遅延多項式である。
【数２】
2020511822.tif 000004
【００５１】
実施形態によっては、送信チェーンの非線形効果を逆にするために、そのような級数表現の比較的に多数の項が必要とされることがあり、またそれらの項（例えば、ｈｐ項）の係数は正確に設定される必要がある。そのような方式での係数は、良好な線形化を維持するために継続的に更新されることがある。そのような継続的な更新に向けた方式は、例えば、ｙ［ｍ］（ＤＰＤ４１０の出力）を使用した増分更新、並びに／又はｖ（ｔ）及び他のシステム特性の観測を含むことがある。
【００５２】
引き続き図４を参照すると、ＤＰＤ４１０をコントローラを使用して制御して、ＤＰＤ係数（ＤＰＤ係数Θ４２０として示される）を決定／計算し、そのような決定されたＤＰＤ係数を使用してＤＰＤ４１０を調節することができる。実施形態によっては、ＤＰＤ係数Θ４２０は、係数のデータベース４３０、並びに、送信チェーン及び／又は他のシステム構成要素（リモート負荷構成要素及び負荷条件を含む）の動作「レジーム」（即ち、物理的条件のクラス）を本質的に特徴付ける値、を使用して決定される。これらの値（例えば、定量的又は分類別のデジタル変数）には、環境変数４３２（例えば、温度、送信機電力レベル、供給電圧、周波数帯域、負荷特性、等）、及び／又は、実質的に不変の特性を表し、送信チェーン４４０の電子部品に固有のものであり得る、部品「シグニチャ」４３４が含まれる。
【００５３】
決定されたシステム特性値又は属性は、係数推定器／補間器４３６に（例えば、フィードバック受信チェーン４６０を介して）供給されることがある。決定された特性及び測定項目を使用して、適切なＤＰＤ係数を推定／導出することができる。例えば、ＤＰＤ係数の組は、エラーベクトルマグニチュード（ＥＶＭ）、隣接チャネル電力比（ＡＣＰＲ）、又は他のタイプの歪み尺度／測定項目を含めて、前処理の効果を特徴付ける幾つかの所望の関連する歪み尺度／測定項目を達成するように、計算されることがある。
【００５４】
係数補間器４３６は、受け取った様々な入力を使用して、係数データベース４３２にアクセスし、対応するＤＰＤ係数４２０を決定し出力する。入力に応じてデータベース内の係数値を選択及び／又は補間すること、並びに／又は係数データベース内の値によって表わされる入力の数学的マッピングを適用することを含めて、様々な方式が係数推定器／補間器４３６によって実施されることがある。例えば、推定器／補間器４３６は、（データベース４３０内の）ＤＰＤ係数の複数の組から、１つ又は複数の所定のシステム特性、又はこれから導出される何らかの測定項目に関連付けられたＤＰＤ係数の組を選択するように構成されることがある。ＤＰＤ４１０を制御／調節するのに使用されるＤＰＤ係数は、システム特性に基づいて、（データベース４３０内に保持されている）ＤＰＤ係数の複数の組からＤＰＤ係数の２つ以上の組を選択することにより、決定することができる。その後、補間されたＤＰＤ係数の組を、選択されたＤＰＤ係数の２つ以上の組から決定することができる。（例えば、ＤＰＤ係数データベースを使用した）ＤＰＤ係数の決定に関する更なる詳細が、「Ｄｉｇｉｔａｌ  Ｃｏｍｐｅｎｓａｔｏｒ」と題された米国特許第９，５９０，６６８号明細書で提供され、この特許の内容は、その全体が参照により本明細書に組み込まれる。
【００５５】
ＤＰＤパラメータ／係数（「ａ」として示されることがある）を更新するための技術の別の例が、「ＬＩＮＥＡＲＩＺＡＴＩＯＮ  ＳＹＳＴＥＭ」と題された米国仮特許出願第６２／５１７，３８０号明細書に見られ、この出願は、その全体が参照により本明細書に組み込まれる。簡単に言うと、例えば図３の適応プロセッサ３２８によって使用されるパラメータａを更新するために、予測モジュール（これは、適応プロセッサ３２８を使用して実装されることがある）は、送信チェーンへの中間入力信号、即ち、図３に示す信号Ｔｘ＿２（代替的にｕＤＰＤとして示される）を処理し、且つ、送信チェーン（又は送信チェーンの下流にある何らかの他の出力モジュール）の出力信号ｚの感知信号（例えば、信号ｂ）を処理して、更新されたパラメータの組ａ’を生成する。感知信号ｂは、１つの電力増幅器（又は、図１の例示的な実施形態のように、複数の電力増幅器）の出力に結合された観測受信機３３０（例えば、低コスト（例えば、低いサンプリングレート）の観測受信機）を介して観測される。結果として得られる観測信号Ｒｘ＿ＳＲＣ（ＤＰＤ適応処理に使用される）は、リアルタイム同期装置３３４（適応処理に使用される信号を同期又は相関させるように構成される）、及びリアルタイム同期装置３３４によって使用される較正パラメータ（観測された出力信号と入力信号との間の遅延及び位相差など）を更新するように構成される最前面較正ユニット３３２、に供給される。結果として得られる同期信号Ｒｘ＿１は、電力増幅器３６０のマルチバンド出力信号の観測され同期された信号であり、これは、マルチバンドコンデンサ（マルチバンド集約ユニット）３２２に供給され、そこで凝縮周波数範囲（実際の入力信号Ｔｘ＿ＳＲＣを凝縮するのに使用される周波数ウィンドウと実質的に一致する）に周波数シフトされ、（任意選択的にマルチレートサンプリング又はシングルレートサンプリングを使用して）サンプリングされる。
【００５６】
一例では、予測モジュールは、基底関数及び中間入力信号ｕＤＰＤ（Ｔｘ＿２）と組み合わせて、感知信号ｂに（例えば、最小平均二乗誤差の意味で）出来る限り近い予測信号を生成する、更新されたパラメータの組ａ’を決定する。これは、次式のように言い換えることができる。
【数３】
2020511822.tif 000005
【００５７】
予測変数Ｐは、ＤＰＤ適応プロセッサ３２８に供給されることがあり、ＤＰＤ適応プロセッサ３２８は、予測変数Ｐを処理してマルチバンド・デジタル・プリディストータ３２４の係数のパラメータを更新する。例によっては、上述の予測変数Ｐについて、適応プロセッサ３２８は、予測変数Ｐの近似逆関数に従って次式のように実行するようにデジタル・プリディストータ３２４を構成する。
【数４】
2020511822.tif 000006
或いは、ＤＰＤパラメータは、ａｉ＝−αｉとして構成されることがある。上記の等式では、被演算子ｕは、マルチバンド・デジタル・プリディストータ３２４への入力信号（即ち、コンデンサ３２２によって出力される凝縮シフト信号Ｔｘ＿１）に対応する。
【００５８】
別の例では、予測モジュールは、基底関数及び感知信号ｂと組み合わせて、中間予歪信号ｕＤＰＤ（信号Ｔｘ＿２に対応する）に（例えば、最小平均二乗誤差の意味で）出来る限り近い予測信号
【数５】
2020511822.tif 000007
（図３の例示的な実施形態では、Ｔｘ＿２に対応する予測された予歪凝縮周波数シフト信号に対応する）を生成する、更新されたパラメータの組
【数６】
2020511822.tif 000008
を決定するように構成されることがある。これは、次式のように言い換えることができる。
【数７】
2020511822.tif 000009
【００５９】
即ち、そのような実施形態では、Ｐは、送信チェーンの非線形性の「後の」逆数の推定値である。予測変数Ｐは、ＤＰＤ適応プロセッサ３２８に供給され、ＤＰＤ適応プロセッサ３２８は、予測変数Ｐを処理してマルチバンド・デジタル・プリディストータ３２４の係数／パラメータを更新する。例によっては、適応プロセッサ３２８は、予測変数Ｐに従って、マルチバンド・デジタル・プリディストータ３２４を次式のように構成する。
【数８】
2020511822.tif 000010
又は、本質的にａｉ＝αｉである。
【００６０】
センス値ｂを中間信号ｕＤＰＤ（Ｔｘ＿２）に出来るだけ近づける、更新されたパラメータａ’を導出する代わりに、別の例では、（マルチバンド・デジタル・プリディストータ３２４によって使用される）ＤＰＤパラメータ／係数の更新を実施して、基底関数と組み合わせて、マルチバンド・デジタル・プリディストータ３２４によって現在使用されている送信チェーンの非線形の入力／出力特性のモデルと、送信チェーンの現在の非線形の入力／出力特性との差を表す、更新されたパラメータの組ａ’を生成することがある。一例では、予測モジュールは、（中間信号ｕＤＰＤ（又はＴｘ＿２）を使用するのではなく）基底関数及びＤＰＤへの入力信号と組み合わせて、感知信号ｂに（例えば、最小平均二乗誤差の意味で）出来る限り近い予測信号
【数９】
2020511822.tif 000011
を生成するパラメータαを決定する。これは、次式のように言い換えられる。
【数１０】
2020511822.tif 000012
【００６１】
基底関数と組み合わせたパラメータαは、送信チェーンの非線形の入力／出力特性のモデルと、送信チェーンの実際の非線形の入力／出力特性との差を表す、というのも、入力信号に対するＤＰＤ及び送信チェーンの両方の影響は、感知信号ｂで表わされるからである。予測モジュールの出力、即ちＰは、ＤＰＤ更新モジュールに供給され、ＤＰＤ更新モジュールは予測変数Ｐを処理してデジタル・プリディストータ３２４を更新する。例によっては、予測変数Ｐについて、ＤＰＤ更新モジュールは、ａ‘ｉ←ａｉ＋αｉに従って、予測変数の近似逆数と既存のＤＰＤとを組み合わせるようにマルチバンドＤＰＤ３２４を構成する。これは実質的に、予測変数の近似逆数Ｐ−１のカスケードを以前のＤＰＤ構成で近似して、新たなＤＰＤ構成を生成する。
【００６２】
別の例では、予測モジュールは、基底関数及び感知信号ｂと組み合わせて、入力信号ｕに（例えば、最小平均二乗誤差の意味で）出来る限り近い予測信号
【数１１】
2020511822.tif 000013
を生成する、パラメータの組αを決定する。これは、次式のように言い換えることができる。
【数１２】
2020511822.tif 000014
【００６３】
なお、本明細書で説明する様々な適応方式により、凝縮マルチバンド信号に対するＤＰＤ適応が可能になるので、信号がより凝縮された周波数ウィンドウにシフトされなかった場合に必要とされるサンプルよりも少ないサンプル（実施態様によっては、極めて少ないサンプル）しか必要としなくなる。
【００６４】
図３に戻ると、予歪された凝縮周波数シフト信号（ｕＤＰＤ又はＴｘ＿２）が生成されており、この信号は、（定期的な適応処理の一部として）適応プロセッサ３２８と、予歪されたデジタルサンプルを（凝縮周波数ウィンドウに対応する周波数帯域にある）出力アナログ信号に変換するためのマルチレート変換器及びチャネライザ３２６（例えば、マルチレートデジタル／アナログ変換器）の両方に供給される。変換器及びチャネライザ３２６は、まずマルチバンド・デジタル・プリディストータ３２４の出力をチャネル化し、その後送信機アレイのデータレート要件に応じて個々の帯域をリサンプリングするように構成されることがある。（図３で信号Ｔｘ＿ＤＡＣとして表わされる）凝縮出力信号は、複数の送信機３５０（例えば、より低いサンプリングレートを有する送信機であり得る複数の低コストの送信機、なおこの複数の送信機は互いに同様に又は異なって実装される）に供給され、複数の送信機３５０の各々は、マルチバンド信号の信号帯域のうちの１つに対応し、またこの供給された凝縮出力信号は予歪された出力信号を生成する。送信機３５０の各々は、例えば周波数変調器（例えば、周波数逓倍器）及び／又は他の回路を含んで、凝縮されたマルチバンド信号Ｔｘ＿ＤＡＣを、マルチバンド集約ユニット３２２（マルチバンドコンデンサ）に供給された初めのＴｘ＿ＳＲＣ信号（即ち、Ｔｘベースバンド信号生成器３１０によって生成又は処理された信号）の周波数帯域と一致する周波数帯域に変換することができる。送信機３５０の予歪され周波数シフトされた出力信号は、フィルタ３５２（例えば、送信機３５０によって行われた周波数シフトから生じた高調波を除去するためのバンドパスフィルタ）と、任意選択的にドライバ増幅器３５４（例えば、可変利得増幅器であり得る）とに、（例えば、マルチプレクサ３４４を介して）供給される。予歪され周波数シフトされた出力信号は、（フィルタ３５２及び／又はドライバ増幅器３５４に供給されたかどうかに関わらず）電力増幅器３６０に供給される。上述したように、通常は、電力増幅器３６０の非線形の挙動は、受信した信号の非線形歪みを引き起こす。しかしながら、電力増幅器３６０への入力として供給される信号は予歪されているので、電力増幅器によって行われる増幅から生じる出力信号は、元の入力信号Ｔｘ＿ＳＲＣの増幅信号になる（即ち、実質的に歪みが無い）。実施形態によっては、図１のシステム１００に関して説明したように、予歪された信号の電力増幅は複数の電力増幅器によって行われることがあり、この複数の電力増幅器の各々は、元の入力信号（Ｔｘ＿ＳＲＣ）のＲＦ帯域のそれぞれに対してより最適に構成されることがある。マルチレート変換器及びチャネライザ３２６、複数の送信機３５０（送信機３５０の各々は、同様にも異なるようにも実装されることがあり、これらの送信機のうちの少なくとも幾つかは低サンプリングレート送信機である）、フィルタ３５２、ドライバ増幅器３５４、電力増幅器３６０、カプラ３７０、及び／又はアンテナ３８０の組み合わせは、図３のシステム３００の送信チェーンを定義することができる。
【００６５】
次に図５を参照すると、マルチバンド信号（この例では、ＬＴＥバンド１７及びバンド４の信号）に適用される逐次的な処理段階でのそれぞれの信号スペクトルを示す、一連の信号図５００、５１０、５２０、及び５３０が示されている。図５００では、連続的な又は不連続の帯域に分布している入力マルチバンド信号が提供される。入力信号は、それぞれ図１及び図３のベースバンドプロセッサ１１０又はベースバンド信号生成モジュール３１０などのベースバンドプロセッサ又は信号生成器によって生成された又は処理されたものであり得る。図５１０は、図５１０に示した入力信号のうちの少なくとも１つを周波数シフトした後の、凝縮された周波数シフトマルチバンド信号を示す。結果として得られるスペクトルは、図５１０の信号の周波数範囲よりも狭い周波数範囲を有する。図５の例では、マルチバンド信号のスペクトルを凝縮させるために、バンド１７及びバンド４のキャリアは互いに隣り合って配置される。これにより、合計帯域幅が１．４２１ＧＨｚから５７ＭＨｚに短縮され、また、凝縮されていない信号に対する３ＧＳＰＳの代わりに、バンド１７及びバンド４に対してそれぞれ６０ＭＳＰＳ及び２４０ＭＳＰＳの例示的なＤＡＣ及びＡＤＣサンプリングレートを使用することになる（そのようなサンプリングレートは、例えばＤＰＤ処理を可能にするのに必要である）。
【００６６】
一旦信号が凝縮されると、それらの信号は処理されて（例えば、デジタル信号に変換され、ＤＰＤ及び／又はＣＦＲ処理にかけられて）、図５２０に示す処理された（例えば、予歪された）凝縮信号を生成する。凝縮信号に施された処理に続いて、図５２０に示した信号を周波数シフトして、（図５３０に示すような）予歪された出力信号を生成する。この予歪された出力信号では、結果として得られる出力信号は、元のＲＦ帯域にある入力信号の初期ＲＦ周波数と実質的に一致する周波数を有する（例えば、図５２０に示した予歪された凝縮信号は、図５００に示した信号の元の帯域と一致する帯域に戻るように拡張される）。
【００６７】
次に図６を参照すると、マルチバンド信号をデジタル予歪するための例示的な手順６００の流れ図が示されている。この手順６００は、複数の無線周波数（ＲＦ）帯域にそれぞれ関連付けられた複数の入力信号を受信すること６１０を含み、それらの複数の入力信号は、複数のＲＦ帯域のうちの最も高いものの最大周波数と、複数のＲＦ帯域のうちの最も低いものの最小周波数との差に相当する入力周波数範囲を占めている。本明細書で考察するように、マルチバンド信号は、任意のタイプのＲＦ／無線通信プロトコルの信号を、無線周波数帯域の任意の組み合わせで含むことがある。例えば、手順６００が適用される周波数帯域は、連続な且つ／又は不連続な帯域を含むことがある。従って、例えば、実施形態によっては、複数の入力信号のうちの少なくとも２つの隣接する帯域は、不連続なＲＦ帯域にあることがある。
【００６８】
図６に更に示すように、手順６００は更に、（例えば、局部発振器を使用して実装されるような周波数変調器／逓倍器を使用して）複数の入力信号の中から少なくとも１つの信号を周波数シフトして（６２０）、凝縮周波数シフト信号（集約シフト信号とも呼ばれる）を生成することを含み、凝縮周波数シフト信号の各々は、複数の入力信号のそれぞれに対応し、凝縮周波数シフト信号は入力周波数範囲よりも狭い凝縮周波数範囲を占有する。今や元の入力信号が占有していた周波数ウィンドウよりも狭い（凝縮された）周波数ウィンドウを占有するようになった凝縮周波数シフト信号は、より広い周波数ウィンドウ（又は範囲）を占有していた元の入力信号に必要とされたサンプリングレートよりも低いサンプリングレートを使用して、デジタルサンプルに変換することができる。凝縮周波数シフト信号のサンプリングを、マルチレート・サンプリング・スキームに従って実行することができ、このスキームでは、異なる帯域にある信号は異なるレートに従ってサンプリングされる（例えば、高い帯域にある信号は、隣接するより低い帯域にある信号よりもより高いサンプリングで処理される）。上述したように、単一のサンプリングレートが、周波数シフトされた時間ベースの信号に適用されることもある。
【００６９】
入力信号を凝縮して凝縮シフト信号を生成すると、手順６００は更に、凝縮シフト信号にデジタル予歪を施すことを含めて、凝縮シフト信号を処理すること６３０を含む。実施形態によっては、凝縮シフト信号を処理することは更に、凝縮シフト信号に必要とされる集約最小レート以上のサンプリングレートで、凝縮シフト信号をサンプリングすることを含むことがあり、このサンプリングレートは、複数のＲＦ帯域にある複数の入力信号に必要とされる入力最小レートよりも小さい。個々の凝縮帯域におけるサンプリングレートは、例えば何らかの所定のレートに従って変化することがあり、高い帯域のレートは、より低い帯域の信号に対するサンプリングレートよりも高くなる。凝縮されたシフト信号にデジタル予歪を施すことを含めて、凝縮されたシフト信号を処理することは、凝縮されたシフト信号にデジタル予歪を施して、その結果、デジタル方式で予歪された凝縮シフト信号を、非線形歪みを引き起こす少なくとも１つの電力増幅器を含む送信チェーンに入力することから得られる、結果として生じる増幅された凝縮シフト信号が、非線形歪みが実質的に無い複数の入力信号の拡大コピーを含むようになる、ことを含むことがある。即ち、凝縮信号に施される予歪処理は、その後それぞれの元の帯域に周波数シフトされて電力増幅器に供給されるときに、予歪された信号が非線形性を増すことなく拡大されるようにすることを目的とする。
【００７０】
凝縮されたシフト信号を処理することは更に、デジタル予歪された凝縮シフト信号を周波数シフトして、複数の入力信号の複数のＲＦ帯域とそれぞれ一致する予歪された出力信号を生成することを含むことがある。即ち、凝縮周波数シフト信号のデジタルサンプルを予歪した後で、予歪されたデジタルサンプルはアナログ信号に変換され、元のＲＦ帯域に周波数シフトされる。実施形態によっては、この手順は更に、予歪された出力信号の各々に関連付けられたそれぞれの周波数帯域で動作するように構成された複数の電力増幅器のそれぞれを使用して、予歪された出力信号の各々を増幅することを含むことがある（即ち、１つ又は複数の予歪された出力信号を含む各帯域は、その帯域専用の別々の電力増幅器によって増幅されることがある）。或いは、手順６００は、複数のＲＦ帯域で動作するように構成された単一の電力増幅器を使用して、予歪された出力信号の各々を増幅することを含むことがある。
【００７１】
上述したように、本明細書で説明する実施形態は、（ＤＰＤパラメータ又は係数を制御可能に調節するための）適応ＤＰＤ処理の実施も含むことがある。実施態様によっては、図６の手順は、例えば、凝縮シフト信号、デジタル予歪された凝縮シフト信号、又は、デジタル予歪された出力信号を１つ若しくは複数の電力増幅器を使用して増幅及び周波数シフトすることにより生成された増幅出力信号の観測されたコピー、のうちの１つに少なくとも基づいて、凝縮シフト信号に施されるデジタル予歪の動作を制御するデジタル予歪パラメータを定期的に調節することを含むことがある。デジタル予歪パラメータを定期的に調節することは、増幅出力信号を周波数シフトすることから生成される周波数シフト増幅出力信号と、複数の入力信号の中の少なくとも１つの信号を周波数シフトすることから生成される凝縮シフト信号と、の差の最小化をもたらすデジタル予歪パラメータを導出することを含むことがある。
【００７２】
ここで図７を参照すると、マルチバンド信号をデジタル予歪するための例示的な手順７００の流れ図が示されている。例示的な手順７００の実施形態は、図６に関連して説明した手順６００のより特定の実施態様（又はその一部）に対応することがあり、例えば図３に示したシステム３００などのシステムを使用して実現されることがある。図７に示すように、手順７００は、システム遅延（例えば、出力信号を生成するために入力信号に対して行われる処理によって引き起こされる遅延）、利得、位相などのパラメータを決定するために、Ｔｘ及びＲｘベースバンド信号（例えば、図３に示した信号Ｔｘ＿ＳＲＣ及びＲｘ＿ＳＲＣ）を使用して、（７１０で）最前面較正処理を実行し、（７２０で）較正パラメータを推定する。ボックス７１０及び７２０での動作を通じて実施される較正処理（図３の例示的なシステム実施態様３００では、最前面較正ユニット３３２によって実現することができる）は、反復されることがあり、何らかの誤差基準（推定パラメータ及び入出力信号に基づいて計算される）が達成されるまで続けられることがある。例えば、正確なＤＰＤ適応動作が行われることを可能にするために、推定された較正パラメータを使用して、入力信号（例えば、図３のＴｘ＿ＳＲＣ）と観測される出力信号（例えば、図３のＲｘ＿ＳＲＣ）とを同期（相関）させるために使用される同期装置（例えば、図３のリアルタイム同期装置３３４）を更新する。
【００７３】
手順７００は更に、（例えば、本明細書で説明するマルチバンド・デジタル・プリディストーション・システムの観測された出力信号の）Ｒｘキャリア周波数をシフトし、周波数シフトされた信号をサンプリングし（７４０で）、周波数及び時間の（実行された較正及び同期処理に基づく）アライメントを満たすマルチバンド入力及び出力サンプルを集約（凝縮）及び処理すること（７５０で）を含む。入力信号及び出力信号に対して行われる凝縮及びサンプリング動作は、何からのアライメント基準が達成されるまで繰り返されることがある。
【００７４】
７６０で、（例えば、図３のデジタル・プリディストータ３２４、又はそれぞれ図１及び図２のプロセッサ１３０若しくは２３０、などのＤＰＤプロセッサを使用して）予歪動作を行って、予歪された出力信号（例えば、図３のデジタル・プリディストータ３２４の出力部におけるＴｘ＿２又はｕＤＰＤ）を生成する。次いで、予歪された出力は、ボックス７７０に示すように、（例えば、この予歪された出力は、ＤＰＤパラメータを計算し更新するために、図３の適応プロセッサ３２８に向けられることがある）適応処理のためと、ボックス７８０に示すように、システムの出力を生成するため（例えば、予歪された出力は、マルチレート変換器、及び図３のシステム３００の送信チェーンに向けられる）の両方に使用されることがある。
【００７５】
次に図８を参照すると、例示的な機器８００（例えば、モバイル機器又はハンドセット、ＷＬＡＮアクセスポイント若しくはＷＷＡＮ基地局などのネットワークノード、等）の概略図が示されており、この機器８００は、図１〜７に関連して本明細書で説明したマルチバンドデジタル予歪実施態様を実装するために使用されることがあるか、又はマルチバンドデジタル予歪実施態様を含むことがある。なお、図８の例示的な機器に示したモジュール及び／又は機能のうちの１つ又は複数は、更に細分することができ、又は、図８に示したモジュール又は機能のうちの２つ以上を一緒にすることができる。更に、図８に示したモジュール又は機能のうちの１つ又は複数を除外することができる。
【００７６】
図示するように、例示的な機器８００は、１つ又は複数のアンテナ及びＲＦフロントエンドモジュール（ブロック８０２として示される）に接続されることがある１つ又は複数の送受信機（例えば、ＷＬＡＮ送受信機８０６、ＷＷＡＮ送受信機８０４、近距離送受信機８０８、等）を備える通信モジュールを含むことがある。ブロック８０２のＲＦフロントエンド回路は、電力増幅器、ＬＮＡ、スイッチ、及び他のフロントエンドモジュールを含むことがあり、実施形態によっては、ＲＦフロントエンドモジュールのうちの少なくとも幾つかは、本明細書で説明したシステム実施態様１００、２００、又は３００を少なくとも部分的に実現するように構成されることがある。送受信機８０４及び８０６及び／又は８０８は、ネットワーク又は遠隔機器との間で信号を通信及び／又は検出するための適切なデバイス、ハードウェア、及び／又はソフトウェアを含むことがある。例えば、送受信機は、例えば、本明細書で説明するマルチバンド・デジタル・プリディストーション・システムの実装を実現するための、デジタル／アナログ変換器、アナログ／デジタル変換器、周波数変調器、及び他のハードウェアを含むことがある。実施形態によっては、送受信機８０６は無線ＬＡＮ通信（例えば、ＷｉＦｉベースの通信などのＷＬＡＮ）をサポートすることにより、機器８００をＷＬＡＮの一部にすることがある。任意のタイプのＷＬＡＮベースのプロトコルが、送受信機８０６によってサポートされることがある。実施形態によっては、送受信機８０４は、無線の音声及び／又はデータ通信に使用することができる１つ又は複数のセルラー・アクセス・ポイント（基地局とも呼ばれる）と通信するように機器８００をサポートすることがある。送受信機８０４を使用して、（認可された及び認可されていない周波数帯域に渡って実装される）任意の３ＧＰＰ又はＩＥＥＥ規格を含めて、任意のタイプのＷＷＡＮプロトコルに従って、通信することができる。変形例によっては、機器８００は、任意の近距離通信プロトコルに従って構成された範囲内の遠隔機器と機器８００が通信できるように構成された、近距離送受信機（インターフェース）８０８を含むこともある。更に、機器８００は、別の機器と通信するための有線ネットワーク接続（例えば、ＵＳＢポート又は何らかの他の有線ポートを使用して実装される）を含むこともある。
【００７７】
実施形態によっては、機器８００は、有線又は無線の通信リンクを通じてコントローラ／プロセッサ８１０と通信する１つ又は複数のセンサ８１２を含むことがある。１つ又は複数のセンサ８１２は、運動／方位センサ、音声センサ（例えば、マイクロホン）、カメラ若しくは何らかの他のタイプの光学センサ（例えば、電荷結合素子（ＣＣＤ）タイプのカメラ、ＣＭＯＳベースの画像センサ等、これらはユーザインターフェース機器上に表示することができる静止画又は動画を生成することができる）、及び／又は他のタイプのセンサを含むことがある。
【００７８】
コントローラ／プロセッサ８１０は、送受信機８０４、８０６、及び／又は８０８、並びに１つ又は複数のセンサ８１２に接続されることがある。プロセッサは、１つ若しくは複数のマイクロプロセッサ、マイクロコントローラ、及び／又は、処理機能並びに他の計算及び制御機能を提供するデジタル信号プロセッサ、を含むことがある。機器８００は、機器８００用の処理及び機能を少なくとも部分的に実施するための、特殊用途論理回路、例えば、ＦＰＧＡ（フィールド・プログラマブル・ゲート・アレイ）、ＡＳＩＣ（特定用途向け集積回路）、ＤＳＰプロセッサ、グラフィックス処理ユニット（ＧＰＵ）、アクセラレーテッド処理ユニット（ＡＰＵ）、アプリケーションプロセッサ、カスタマイズされた専用回路等を含むこともある。プロセッサ８１０は、機器内でプログラムされた機能を実行するためのデータ及びソフトウェア命令を記憶するためのメモリ８１４（コンピュータアクセス可能な記憶媒体）も含むことがある。一般的に言って、コンピュータアクセス可能な記憶媒体は、コンピュータに命令及び／又はデータを提供するために、使用中にコンピュータによってアクセス可能な任意の非一時的な記憶媒体を含むことがある。例えば、コンピュータアクセス可能な記憶媒体は、磁気ディスク又は光ディスク及び半導体（固体）メモリ、ＤＲＡＭ、ＳＲＡＭなどの記憶媒体を含むことがある。
【００７９】
機器８００は、例えば、図６及び図７で示した手順を含む、本明細書で説明する手順に従って、（例えば、機器にあるハードウェア及び／又はメモリ８１４に供給されるソフトウェアモジュール／アプリケーションを介して）マルチバンドデジタル予歪処理を行うように構成されることがある。メモリ８１４は、（例えば、同じＩＣパッケージ内の）コントローラ／プロセッサ８１０に搭載されることがあり、且つ／又は、プロセッサに対する外部メモリでありデータバスを介してプロセッサに結合されることがある。
【００８０】
例示的な機器８００は更に、ユーザインターフェース８５０を含むことがあり、ユーザインターフェース８５０は、マイクロホン／スピーカー８５２、キーパッド又はタッチスクリーン８５４（又は何らかの他のユーザインターフェース入力機構）、及びユーザと機器８００との対話を可能にするディスプレイ８５６、などの任意の適切なインターフェースシステムを提供する。そのようなユーザインターフェースは、視聴覚インターフェース（例えば、ディスプレイ及びスピーカー）であれ、又は何らかの他のタイプのインターフェース（視覚のみ、音響のみ、触覚など）であれ、機器８００を使用するユーザに状態データ、警告データ等を提供するように構成される。マイクロホン／スピーカー８５２は、音声通信機能を提供し、また、ユーザが音声通知を受け取ることができるように、テキストデータを音声スピーチに変換することができる、音声合成装置（例えば、テキスト／音声モジュール）を含むか又は音声合成装置に結合されることがある。そのような音声合成装置は、別個のモジュールであることがあり、又は、マイクロホン／スピーカー８５２に、若しくは図８の機器のプロセッサ８１０に、一体的に結合されていることがある。キーパッド８５４は、ユーザ入力に適したボタンを含む。ディスプレイ８５６は、例えばバックライト付きＬＣＤディスプレイなどの任意の適切なディスプレイを含み、また、更なるユーザ入力モード用のタッチスクリーンディスプレイを更に含むことがある。機器８００は更に、１つ若しくは複数の電池、及び／又は外部電源から電力（例えば、ＡＣ電力）を受け取って調節する電力変換モジュール、などの電源装置８２０を含むことがある。
【００８１】
図１〜図８に示したような上記の実装は、ＲＦ技術（セルラー技術などのＷＷＡＮ技術及びＷＬＡＮ技術を含む）、衛星通信技術、ケーブルモデム技術、有線ネットワーク技術、光通信技術、並びに全ての他のＲＦ及び非ＲＦ通信技術を含む、幅広い技術に適用することができる。本明細書で説明する実施態様は、様々な異なる通信システムにおけるマルチバンドデジタル予歪の使用に関係する全ての技術及び実施形態を包含する。
【００８２】
実施態様によっては、コンピュータアクセス可能な非一時的な記憶媒体は、本明細書で説明するシステムのためのマルチバンドデジタル予歪実施態様のコンポーネントの一部又は全部を含むシステムを表すデータベース（「設計構造」又は「集積回路定義データセット」とも呼ばれる）を含む。一般的に言って、コンピュータアクセス可能な記憶媒体は、コンピュータに命令及び／又はデータを提供するために、使用中にコンピュータによってアクセス可能な任意の非一時的な記憶媒体を含むことがある。例えば、コンピュータアクセス可能な記憶媒体は、磁気ディスク又は光ディスク及び半導体メモリなどの記憶媒体を含むことがある。一般的に、システムを表すデータベースとは、プログラムによって読み取られ、システムを構成するハードウェアを製造するために直接的又は間接的に使用することができる、データベース又は他のデータ構造であり得る。例えば、データベースは、Ｖｅｒｉｌｏｇ又はＶＨＤＬなどの高レベル設計言語（ＨＤＬ）でのハードウェア機能の動作レベルの記述又はレジスタ転送レベル（ＲＴＬ）の記述であり得る。この記述は、記述を合成して合成ライブラリからゲートのリストを含むネットリストを生成することができる合成ツールによって、読み取られることがある。ネットリストは、システムを構成するハードウェアの機能も表すゲートの組を含む。次いで、ネットリストを配置し配線して、マスクに適用されることになる幾何形状を記述するデータセットを生成することがある。次いで、マスクを様々な半導体製造工程で使用して、システムに対応する半導体回路を製造することができる。他の例では、データベースはそれ自体が（合成ライブラリの有無に関わらず）ネットリストであるか、又はデータセットであり得る。
【００８３】
特に断りの無い限り、本明細書で使用する全ての技術的用語及び科学的用語は、一般的に又は慣例的に理解されているのと同じ意味を有する。本明細書で使用する場合、冠詞「ａ」及び「ａｎ」は、その冠詞の文法上の対象物の１つ又は１つより多く（即ち、少なくとも１つ）を指す。例として、「要素（ａｎ  ｅｌｅｍｅｎｔ）」とは、１つの要素又は１つよりも多くの要素を意味する。量、期間などの測定可能な値を指す場合に本明細書で使用される「約（ａｂｏｕｔ）」及び／又は「およそ（ａｐｐｒｏｘｉｍａｔｅｌｙ）」とは、指定された値からの±２０％又は±１０％、±５％、又は＋０．１％の変動を、そのような変動が本明細書で説明するシステム、機器、回路、方法、及び他の実施態様の文脈において適切である場合には、包含する。量、期間、（周波数などの）物理的属性などの測定可能な値を指す場合に本明細書で使用される「実質的に（ｓｕｂｓｔａｎｔｉａｌｌｙ）」とは、指定された値からの±２０％又は±１０％、±５％、又は＋０．１％の変動を、そのような変動が本明細書で説明するシステム、機器、回路、方法、及び他の実施態様の文脈において適切である場合には、包含する。
【００８４】
特許請求の範囲を含めて本明細書で使用する場合、「少なくとも１つの（ａｔ  ｌｅａｓｔ  ｏｎｅ  ｏｆ）」又は「１つ又は複数の（ｏｎｅ  ｏｒ  ｍｏｒｅ  ｏｆ）」で前置きされた項目のリストで使用される「又は（ｏｒ）」は、選言的なリストを示し、その結果、例えば、「Ａ、Ｂ、又はＣのうちの少なくとも１つ（ａｔ  ｌｅａｓｔ  ｏｎｅ  ｏｆ  Ａ，Ｂ，ｏｒ  Ｃ）」は、Ａ若しくはＢ若しくはＣ、又はＡＢ若しくはＡＣ若しくはＢＣ、又はＡＢＣ（即ち、Ａ及びＢ及びＣ）か、又は１つよりも多くの特徴の組み合わせ（例えば、ＡＡ、ＡＡＢ、ＡＢＢＣ、等）を意味する。また、本明細書で使用する場合、特に断りの無い限り、機能又は動作が項目又は条件に「基づいている（ｂａｓｅｄ  ｏｎ）」という記述は、その機能又は動作が、記述された項目又は条件に基づいていること、及び、記述された項目又は条件に加えて１つ又は複数の項目及び／又は条件に基づいている可能性があること、を意味する。
【００８５】
本明細書では特定の実施形態を詳細に開示したが、これは、説明目的のみのために例として示したものであり、本発明の範囲を限定することを意図してはおらず、本発明の範囲は、添付の特許請求の範囲によって定義される。開示する実施形態の特徴は、本発明の範囲内で組み合わせたり再構成したりして、より多くの実施形態を生成することができる。何らかの他の態様、利点、及び修正例は、以下で提供される特許請求の範囲内にあるものとみなされる。提示される請求項は、本明細書で開示した実施形態及び特徴のうちの少なくとも幾つかを表している。他の請求されていない実施形態及び特徴も考えられる。
【図１】
2020511822.tif 000015
【図２】
2020511822.tif 000016
【図３】
2020511822.tif 000017
【図４】
2020511822.tif 000018
【図５】
2020511822.tif 000019
【図６】
2020511822.tif 000020
【図７】
2020511822.tif 000021
【図８】
2020511822.tif 000022
【国際調査報告】
2020511822.tif 000023
2020511822.tif 000024